(57)【要約】【課題】複数の照明灯群の故障（不点灯、端末の故障等）を、設置場所に出向くことなしに遠隔地の管理センタから統括管理して、費用の節減と故障対応時間の短縮を図る。【解決手段】全ての照明灯に不点検知センサと、該センサから送出される情報を、微弱な特定小電力を有する安価な不点検知送受信端末と、を設置し、予め設定した順序に従って、全ての照明灯の不点情報を伝送装置に収集させ、通信インフラを介して管理センタのディスプレイに表示させて統括管理する。【選択図】        図１
2005020425.tif 000002
【特許請求の範囲】
【請求項１】
照明灯の不点灯を検知する不点検知センサと、該センサが送出する該照明灯の正常もしくは異常情報を入力して、微弱または特定小電力の無線信号の送受信を行う不点検知送受信端末と、を夫々の照明灯に設置した地区内の全ての照明灯群の不点情報収集システムにおいて、
前記照明灯からの不点情報の伝達順序を予め設定しておき、ｎ本の照明灯Ｌ１，Ｌ２，Ｌ３，…Ｌｍ−１，Ｌｍ，Ｌｍ＋１，…Ｌｎ−１，Ｌｎに対し、Ｌ１の不点情報をＬ２に送信すると、Ｌ２はＬ１から受信したＬ１の不点情報にＬ２自身の不点情報を追加してＬ３に送信するようにして、同様な伝達方法を繰り返して行うことにより、最終的にはＬｎにおいてＬ１からＬｎ−１までの不点情報にＬｎ自身の不点情報を追加して、地区内の全ての照明灯の不点情報を収集できるようにシステムを構成し、照明灯Ｌｎに設けてある伝送装置から既存の通信インフラを介して、前記全ての不点情報を管理センタに設けてある表示装置にリアルタイムで表示させ、統括管理させるようにしたことを特徴とする照明灯の不点情報収集システム。
【請求項２】
不点情報の伝達順序を、Ｌ１からＬ２、Ｌ２からＬ３、以下同様に繰り返してＬ１からＬｍ−１までの不点情報をＬｍに収集する処理と並行して、ＬｎからＬｎ−１、Ｌｎ−１からＬｎ−２、以下同様に繰り返してＬｎからＬｍ＋１までの不点情報をＬｍに収集する処理を行うと共に、照明灯Ｌｍに伝送装置を設けて、情報収集時間を短縮させるようにしたことを特徴とする請求項１に記載の照明灯の不点情報収集システム。
【請求項３】
請求項１に記載の不点情報収集システムにおいて、夫々の照明灯における不点灯が検知された場合、および不点検知送受信端末に故障が発生した場合には、それら故障情報が発生した照明灯を特定すると共に、該端末より下位の不点情報を収集する機能を具備し、遠隔地における管理センタに通報させるように構成していることを特徴とする請求項１に記載の照明灯の不点情報収集システムおよび故障端末特定方法。
【請求項４】
請求項１〜３に記載の機能を有する不点情報収集システムであって、複数の地区に設置された照明灯群を、
（１）各地区設備からの不点情報および設備状態の受信履歴、および各地区設備の最新状況が把握できる集約画面と、
（２）該集約画面において、設備ＩＤの選択指示により、その地区設備の全照明灯の状態マップの表示と、該地区の照明灯の設置場所が把握できる地図情報と、
によって構成したことを特徴とする照明灯の不点情報収集システムおよびその統括管理方法。
【発明の詳細な説明】
【０００１】
【発明の属する技術分野】
本発明は、各地区に設置されている多数の照明灯の中で、不点灯が発生している照明灯の位置を、ほぼリアルタイムで遠隔地から把握できる照明灯の不点情報収集システムに関する。
【０００２】
【従来の技術】
（１）巡回車で照明灯設置場所を巡回することによって、巡回者の視察により不点情報を収集する方法。
（２）全ての照明灯に不点検知センサおよび微弱または、特定小電力の不点検知送受信端末を設けておき、巡回車によって検知する方法。
等によって照明灯の不点情報を収集していた。
【０００３】
【特許文献１】
特開平７−７６８０９号公報
【特許文献２】
特開２００２−３２４６８７号公報
【特許文献３】
特開平９−６３７７６号公報
【０００４】
【発明が解決しようとする課題】
上述した従来技術では、照明設置場所に出向いて確認しないと情報収集できないため、膨大な費用と時間が必要であった。
従って、照明灯の設置場所に出向くことなく、遠隔地からリアルタイムで各地区に設置されている照明灯の不点情報を、統括的に把握管理できる照明灯の不点情報収集システムの提供が望まれていた。
【０００５】
【課題を解決するための手段】
本発明は、上述した従来技術の欠点を解消するために、照明灯の不点情報収集システムを構築しようとするものであって、不点検出の対象となる全ての照明灯に、不点検知センサと、該センサの情報を送受信する微弱または特定小電力を有する安価な不点検知送受信端末を設けておくと共に、全ての照明灯の不点情報を収集したうえで、通信インフラを介して管理センタに情報伝送する伝送装置を特定の照明灯に設置しておき、この不点情報を前記伝送装置を介して、管理センタに設置してあるディスプレイに表示させる。
従って、対象とする照明灯群の不点情報を遠隔地に設置してある管理センタにおいて、リアルタイムで照明灯の不点情報を把握管理できる。
また、各照明灯に設置してある不点検知送受信端末の異常もリアルタイムで認識し、対応手段を講ずることが可能となる。
【０００６】
【発明の実施の形態】
以下、本発明の実施例を図面を参照しながら説明する。
図１は、本発明に係る照明灯の不点情報収集システムの構成を示す概念図であり、図２は、照明灯の不点検知システムの構成要素の詳細図である。
図３は、不点検知システムの処理フロー１（不点情報の収集）であり、図４は、不点検知システムの処理フロー２（故障端末の特定方法とその通報方法）であり、図５は、不点検知システムの処理フロー３（システムの正常・異常の稼動状況把握）である。
また、図６は、不点検知システムの統括管理ＡＰ画面例−１（不点情報収集データ群の運用管理）であり、図７は、不点検知システムの統括管理ＡＰ画面例−２（不点情報の詳細情報表示）である。
【０００７】
図１は、本願発明に係る照明灯の不点情報収集システムの構成を示す概念図である。
図１において、道路等に、ある間隔（通常５０ｍ未満）で設置してある複数の照明灯には、ＩＤ番号を付してあって、下位のＬ１（ＩＤ＝００１）、Ｌ２（ＩＤ＝００２）、・・・Ｌｍ−１（ＩＤ＝００ｍ−１）、Ｌｍ（ＩＤ＝００ｍ）、Ｌｍ＋１（ＩＤ＝００ｍ＋１）・・・Ｌｎ−１（ＩＤ＝００ｎ−１）、Ｌｎ（ＩＤ＝００ｎ）としてあり、Ｌｎ（ＩＤ＝００ｎ）を上位に指定してある。
照明灯の間隔を５０ｍ未満とした理由は、不点灯や不点検知送受信端末に支障が生じている照明灯があっても、それを飛び越えて次の照明灯に無線信号が到達可能な距離として設定したものであり、この変更は状況に応じて調整可能である。
【０００８】
図２は、本発明に係る照明灯の不点検知システムの構成要素の詳細図である。各照明灯に設置してある不点検知送受信端末１（ＩＤ＝００１）〜２００（ＩＤ＝２００）の回路構成は全て同一である。
例えば、不点検知送受信端末１は、特定小電力無線モジュール２１０、制御部１１１、ＡＣ入力部１１２、ＤＣ電源部１１３、不点検知センサ１１４によって構成している。
不点検知センサ１１４によって検知された検知信号は制御部１１１を介して特定小電力無線モジュール２１０に入力し、不点検知情報として、予め定めてある順番を有する隣接する照明灯の特定小電力無線モジュール２１０に、特定小電力の無線信号を送出する。
【０００９】
照明灯Ｌｎの基礎部に設置してある不点検知伝送制御装置２０１は、特定小電力無線モジュール４０４、制御部４０３、（ＰＨＳ）通信部４０２、電源部４０１によって構成してある。
前記照明灯Ｌｎの上部に取り付けてある不点検知送受信端末１００の構成要素である前記特定小電力無線モジュール４０４によって受信され、制御部４０３を介して（ＰＨＳ）通信部４０２から通信インフラ（光ケーブル、ＰＨＳ、その他）２０３を経由して管理センタ２０２に設置してある（ＰＨＳ）通信部２１５によって受信され、表示装置を形成するパソコン画面２１６に、全ての照明灯の不点情報が表示される。
【００１０】
次に、不点検知システムの処理フローを図３によって説明する。
夫々の照明灯に設置してある不点検知送受信端末には、図２に示す不点検知センサ１１４の信号が入力して、接点状態サンプリングを行って最新の接点情報（照明灯の点滅情報）を取得し、特定小電力無線モジュール２１０から前記最新接点情報を隣接する照明灯の不点検知送受信端末に送出すると共に、前記最新接点情報を受信した隣接する照明灯の不点検知送受信端末からの最新接点情報を受信する。
即ち、予め不点情報の伝達方式を定めておき、例えば、ｎ本の照明灯Ｌ１，Ｌ２，Ｌ３，…Ｌｍ−１，Ｌｍ，Ｌｍ＋１，…Ｌｎ−１，Ｌｎに対し、Ｌ１の不点情報をＬ２に送信し、次にＬ２はＬ１から受信したＬ１の不点情報にＬ２自身の不点情報を追加してＬ３に送信する。同様な処理を繰り返し、Ｌｎ−１はＬｎ−２から受信したＬ１からＬｎ−２までの不点情報にＬｎ−１自身の不点情報を追加し、Ｌｎに送信する。
最終的にＬｎは、Ｌｎ−１から受信したＬ１からＬｎ−１までの不点情報にＬｎ自身の不点情報を追加することにより、全ての照明灯の不点情報を収集できる。
【００１１】
不点情報の伝達順序を、Ｌ１からＬ２、Ｌ２からＬ３、以下同様に繰り返してＬｍにＬ１からＬｍ−１までの不点情報を収集する処理と並行して、ＬｎからＬｎ−１、Ｌｎ−１からＬｎ−２、以下同様に繰り返してＬｍにＬｎからＬｍ＋１までの不点情報を収集する処理を実行することにより、不点情報の収集時間を短縮することも容易に実現できる。
伝送装置（不点検知伝送制御装置）２０１は照明灯Ｌｍの基礎部に設置してあって、不点検知送受信端末１〜１００からの接点情報と、不点検知送受信端末２００〜１０１からの接点情報を入力するので、ＩＤ＝００１からＩＤ＝２００までの最新接点情報を入力している。
不点検知管理を実施するためには、この伝送装置２０１から夫々の不点検知送受信端末１〜２００に対し、最新の接点情報を送受信するように接点情報の状態要求を送出しておく。
受信された全ての照明灯からの最新の接点情報は、通信インフラ２０３を介して管理センタ２０２に送信されてディスプレイに表示され、統括管理される。
【００１２】
図４は故障端末特定方法とその通報方法を示すフローを示し、図５はシステムの正常・異常の稼動情況把握方法を示すフローである。
図４において、Ｌ１からＬｍ−１までが正常端末であって、Ｌｍが故障端末であり、Ｌｍ＋１からＬｎまでは正常端末である例を示している。
正常端末同士の場合には、点検送信と点検受信、および応答送信と応答受信を相互に繰り返しているが、故障端末Ｌｍでは、正常端末Ｌｍ−１からの点検信号がＬｍに送信されるが応答送信がＬｍ−１に返信されて来ず、応答待ちの結果タイムアウトとなる。
この場合には、正常端末Ｌｍ−１からＬｍ＋１との間に故障端末Ｌｍが存在しているので、故障端末Ｌｍを飛び越えて、正常端末Ｌｍ−１からＬｍ＋１にＬｍ故障が送信される。
Ｌｍ＋１はＬｍの故障信号を受信して、応答信号をＬｍ−１に送信し、Ｌｍ−１はその応答信号を受信する。
さらに、正常端末Ｌｍ＋１はＬｍ故障信号をＬｍ＋２に送信すると共に、Ｌｍ＋２から応答信号を受信し、以下同様にして、Ｌｍ故障信号を受信した正常端末Ｌｎを介して遠隔地に設置してある管理センタ２０２にＬｍ故障が送信される。
【００１３】
以上の説明は、故障端末を特定する方法を示したものであるが、照明灯の不点灯のみならず不点検知送受信端末自身が故障した場合の、システムの正常・異常の稼動情況把握方法を図５によって説明する。
図５において、正常端末Ｌ１が不点情報（Ｌ１）を正常端末Ｌ２に送信すると、正常端末Ｌ２はＬ１へ受信応答すると共に、Ｌ２自身の不点情報とＬ１の不点情報とを正常端末Ｌ３へ送信する。
Ｌｍ−１までが正常端末であると、上述した受信応答とＬ１〜Ｌｍ−１までの不点情報が繰り返して送信されるが、Ｌｍに何らかの故障が発生している場合にはＬ１〜Ｌｍ−１までの不点情報はＬｍから送信されて来ない。
この結果、正常端末Ｌｍ−１は応答待ちとなり、遂にはタイムアウトとなる。
この時、正常端末Ｌｍ−１は（Ｌ１〜Ｌｍ−１）までの不点情報とＬｍ故障情報を、故障端末Ｌｍを飛び越えて、正常端末Ｌｍ＋１へ送信する。
前記Ｌｍ＋１はＬｍ−１へ受信応答すると共に、（Ｌ１〜Ｌｍ−１）の不点情報とＬｍ故障情報をＬｍ＋２の正常端末に送信する。
以下同様な処理を繰り返すことにより、上位の正常端末Ｌｎには（Ｌ１〜Ｌｍ−１，Ｌｍ＋１〜Ｌｎ）の不点情報とＬｍ故障情報が受信される。
従って、遠隔地に設置してある管理センタ２０２のディスプレイにもＬｍ故障とＬ１〜Ｌｍ−１，Ｌｍ＋１〜Ｌｎの不点情報が表示される。
【００１４】
図６は、不点検知システムにおける統括管理ＡＰ画面例−１（受信待ち）が表示されている。
日付，時刻，設備ＩＤ，地区名より成る受信履歴と、設備ＩＤ，地区名，動作状態，最新受信日時より成る登録一覧／動作状況と、が各地区設備の最新状況として把握できる集約画面である。
図７は、不点検知システムにおける統括管理ＡＰ画面例−２（詳細情報表示）には、受信履歴（日付，時刻，設備ＩＤ，地区名）と登録一覧／動作状況（設備ＩＤ，地区名，動作状態，最新受信日時）の他に、照明灯設置場所を示すその地区の全照明灯の状態マップの表示と、該地区の照明灯の設置場所が把握できる地図情報が表示される。
【００１５】
【発明の効果】
以上説明したように、本発明に係る照明灯の不点情報収集システムによると、照明灯の設置場所に出向くことなしに、遠隔地に設置してある管理センタのディスプレイ上に、対象となる全ての照明灯の不点情報が統括的に把握管理できるので、膨大な費用の節約効果と、リアルタイムで情況把握が出来るので、不点対策を容易に実現できる。
また、夫々の照明灯に設置してある不点検知送受信端末の異常もリアルタイムで認識し、対処可能である。
【図面の簡単な説明】
【図１】本発明に係る照明灯の不点情報収集システムの概念図。
【図２】照明灯の不点検知システムの構成要素の詳細図。
【図３】不点検知システムの処理フロー１（不点情報の収集）。
【図４】不点検知システムの処理フロー２（故障端末の特定方法とその通報方法）。
【図５】不点検知システムの処理フロー３（システムの正常・異常の稼動状況把握）。
【図６】不点検知システムの統括管理画面例−１（不点情報収集データ群の運用管理）。
【図７】不点検知システムの統括管理画面例−２（不点情報詳細画面例）。
【符号の説明】
１〜２００  不点検知送受信端末
１１１      制御部
１１２      ＡＣ入力部
１１３      ＤＣ電源部
１１４      不点検知センサ
２０１      不点検知伝送制御装置（伝送装置）
２０２      管理センタ
２０３      通信インフラ
２１５      （ＰＨＳ）通信部
２１６      パソコン画面
４０１      電源部
４０２      （ＰＨＳ）通信部
４０３      制御部
４０４      特定小電力無線モジュール
【図１】
2005020425.tif 000003
【図２】
2005020425.tif 000004
【図３】
2005020425.tif 000005
【図４】
2005020425.tif 000006
【図５】
2005020425.tif 000007
【図６】
2005020425.tif 000008
【図７】
2005020425.tif 000009